(57)【要約】【課題】払出構造体による球ならし機能を確保し、球貯蔵室の球から払出構造体に加わる負担を軽減する。【解決手段】払出収容部８と払出構造体２４の丸棒２７の外周面との間には、球貯蔵部３から球を取り込むための球取込隙間３６；３７が、払出構造体２４を境とし前後に設けられ、螺旋体２８による球を１個ずつ分離する機能を阻害する球誘導突起１１；１２が、球取込隙間３６；３７の螺旋体２８による球の矢印Ｘ１で示す搬送方向の下流側に設けられることなく、球取込隙間３６；３７の螺旋体２８による球の矢印Ｘ１で示す搬送方向の上流側において払出構造体２４の回転方向の前後方向の両側に位置しかつ払出構造体２４の上部を開放して設けられ、払出構造体２４より前後に離れて配置され、球誘導突起１１；１２から開放された払出構造体２４の上部における螺旋体２８が、払出構造体２４の矢印Ｗ１で示す方向への回転に伴い、球貯蔵部３の球Ｐをならす。【選択図】図１
2007236785.tif 000002
【特許請求の範囲】
【請求項１】
払出構造体が丸棒の外周面に螺旋体を丸棒の軸心と平行な方向に球を１個ずつ分離する間隔で丸棒の外周面から径方向外側に螺旋形状に突出し、球貯蔵室の底面に設けられた払出収容部が球貯蔵部の底面に形成された供給口から下方に窪む空間を囲む形状に形成され、払出構造体が払出収容部に配置された場合における払出収容部と払出構造体の丸棒の外周面との間には球貯蔵室から球を取り込むための球取込隙間が設けられ、払出構造体が周方向に回転するように一方向に駆動されることによって、螺旋体が球取込隙間に取り込まれた球を１個ずつ分離しかつ丸棒の軸心と平行な一方向に搬送して払出収容部から払い出す遊技機の球払出装置において、螺旋体による球を１個ずつ分離する機能を阻害するための球誘導突起が、球取込隙間の螺旋体による球の搬送方向の下流側に設けられることなく、球取込隙間の螺旋体による球の搬送方向の上流側において払出構造体の回転方向の両側に位置しかつ払出構造体の上部を開放して設けられ、球誘導突起と螺旋体との間には球の進入を禁止する空隙が設けられたことを特徴とする遊技機の球払出装置。
【請求項２】
請求項１に記載された球誘導突起の上面が球取込隙間の螺旋体による球の搬送方向の上流側から下流側の方向に行くにしたがって下り勾配となる斜面に形成されたことを特徴とする遊技機の球払出装置。
【発明の詳細な説明】
【技術分野】
【０００１】
本発明は、払出構造体による球ならし機能を確保し、球貯蔵部の球から払出構造体に加わる負担を軽減する遊技機の球払出装置に関する。
【背景技術】
【０００２】
遊技機の球払出装置には、次の構造を有するものが知られている。それは、払出機構がタンク構造体の下部に設けられ、払出機構の払出モータが螺旋状の払出構造体を周方向に回転するように一方向に駆動することによって、払出構造体がタンク構造体から球を１個ずつ分離して払出球検出器の側に払い出している。しかしながら、払出構造体が球から受ける球圧の方向と球を払出球検出器の側に移動する方向とが逆の方向になっているので、払出構造体に負担がかかり過ぎ、球詰まりを発生しやすいという欠点がある。
【特許文献１】特開平８−１０４１５号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、払出構造体が丸棒の外周面に螺旋体を丸棒の軸心と平行な方向に球を１個ずつ分離する間隔で丸棒の外周面から径方向外側に螺旋形状に突出し、球貯蔵室の底面に設けられた払出収容部が球貯蔵部の底面に形成された供給口から下方に窪む空間を囲む形状に形成され、払出構造体が払出収容部に配置された場合における払出収容部と払出構造体の丸棒の外周面との間には球貯蔵部から球を取り込むための球取込隙間が設けられ、払出構造体が周方向に回転するように一方向に駆動されることによって、螺旋体が球取込隙間に取り込まれた球を１個ずつ分離しかつ丸棒の軸心と平行な一方向に搬送して払出収容部から払い出す遊技機の球払出装置において、球の球貯蔵部から球取込隙間への侵入を阻止するための球誘導突起が、球取込隙間の螺旋体による球の搬送方向の下流側に設けられることなく、球取込隙間の螺旋体による球の搬送方向の上流側において払出構造体の回転方向の両側に位置しかつ払出構造体の上部を開放して設けられ、球誘導突起と払出構造体との間には球の進入を禁止する空隙が設けられたことを最も主要な特徴とする。球誘導突起の上面が球取込隙間の螺旋体による球の搬送方向の上流側から下流側の方向に行くにしたがって下り勾配となる斜面に形成されてもよい。
【発明の効果】
【０００５】
本発明に係る遊技機の球払出装置は、球誘導突起から開放された払出構造体の上部における螺旋体が球貯蔵部の球をならすので、払出構造体による球ならし機能を確保することができ、球誘導突起が球の球貯蔵部から球取込隙間の上流側への侵入を阻止するので、球貯蔵部の球から払出構造体に加わる負担を軽減することができ、球誘導突起の設けられていない球取込隙間の下流側では球貯蔵部から球が球取込隙間に入って螺旋体で１個ずつ分離されて払出収容部から適切に払い出されるという利点がある。球誘導突起の上面が球取込隙間の螺旋体による球の搬送方向の上流側から下流側の方向に行くにしたがって下り勾配となる斜面に形成されれば、球貯蔵部の球を球取込隙間の下流側に確実に供給することができるという利点がある。
【発明を実施するための最良の形態】
【０００６】
図１乃至図６は、発明を実施するための最良の形態である。図１のａ図は、球払出装置１の払出収容部８を上から示す。図１のｂ図は、図１のａ図をＢ−Ｂ線に沿い切断した断面を示す。図１のｃ図、図２、図３は、払出収容部８の作用を示す。図４は、払出収容部８の内部を示す。図５は、球払出装置１を分解して示す。図６は、パチンコ遊技機の裏面を示す。本明細書において、「前」、「表」、「後」、「裏」、「左」、「右」、「上」、「下」の方向は、図５の状態にタンク構造体２および払出機構２１を置いて矢印Ａで示す前側から見た場合に特定される方向、または、図６の紙面の裏側から遊技機枠４１を見た場合に特定される方向である。「前」および「表」は、同じ方向である。「後」および「裏」は、同じ方向である。
【０００７】
図４を参照し、球貯蔵部３の底部に設けられた払出収容部８の内部構造について説明する。払出収容部８の左壁には、軸受孔１０が、左右方向への貫通孔として設けられる。払出収容部８の底部には、球誘導突起１１；１２、払出逃避孔１３および異物排出孔１４が設けられる。球誘導突起１１は、払出逃避孔１３よりも前側に位置し、払出収容部８の底部から上方に突出し、払出収容部８の左壁から右側に直線的に板状に延びる壁を構成する。球誘導突起１２は、払出逃避孔１３よりも後側に位置し、払出収容部８の底部から上方に突出し、払出収容部８の左壁から右側に直線的に板状に延びる壁を構成する。
【０００８】
図５を参照し、遊技機の球払出装置１の構造について説明する。球払出装置１のタンク構造体２は、球貯蔵部３を備える。球貯蔵部３は、遊技機設置構造体の補給機構から排出されたパチンコ球と呼ばれる球を貯蔵する部屋であって、上方に開口した箱形の部屋として構成される。球貯蔵部３の右壁には、機構取付部４、上開口５、下開口６が設けられる。機構取付部４は、球貯蔵部３の右壁から右側に突出した筒状として構成される。上開口５は、払出収容部８の右壁に対応する部分の全体を除去した形態であって、払出構造体２４が挿入されることによって、払出構造体２４の前後で球を１個ずつ払出収容部８から払出機構２１に供給する球出口を形成する。下開口６は、払出球検出器２６を取り込むように、左右方向への貫通孔として構成される。球貯蔵部３の底壁における球と接触する底面は、球が球貯蔵部３の周囲から供給口７に向けて流れる斜面を形成する。球貯蔵部３の底壁には、供給口７、払出収容部８、庇９が設けられる。供給口７は、球貯蔵部３の右側で前後方向の中央部に位置し、左右方向に長い平面視長方形で、上下方向への貫通孔を構成する。払出収容部８は、供給口７から下方に窪む空間を囲む形状に形成される。庇９は、払出収容部８における開口の右側部を塞ぎ、球貯蔵部３に貯蔵された球が払出構造体２４に取り込まれて右側部に到達した球と干渉しないように、球貯蔵部３から払出収容部８への球の流入を阻止する（図２参照）。
【０００９】
球貯蔵部３より前側には、基板収容部１５が設けられる。基板収容部１５は、上方に開口した箱形の部屋として構成される。基板収容部１５の底壁の上には、中継基板１６が、上方からタッピングスクリューのような図外の止ねじで取り付けられる。中継基板１６は、球払出装置１に関係する電気部品の全ての配線を集中的に接続するものであって、プリント配線板のような回路基板の上面に、コネクタ１７を複数実装した構造である。球貯蔵部３および基板収容部１５の間における隔壁１８には、補給検出機構１９および球切れ検出機構２０が装着される。補給検出機構１９は、球貯蔵部３に貯蔵された球の個数が少ないことを検出して補給信号を出力する。補給信号が遊技店の店営業を管理するホールコンピュータに出力されることによって、ホールコンピュータが遊技機設置構造体の補給機構を駆動し、補給機構が球を球貯蔵部３に補給する。球切れ検出機構２０は、球貯蔵部３に貯蔵された球の個数が補給検出機構１９で検出する数量よりも少ないことを検出して球切れ信号を出力する。球切れ信号が遊技店の店営業を管理するホールコンピュータに出力されることによって、ホールコンピュータが補給機構から球貯蔵部３への球の補給の行われない異常を遊技店の店員に知らせる報知処理を行う。
【００１０】
球払出装置１の払出機構２１は、機構躯体２２の内部に、払出モータ２３、払出構造体２４、通路切替機構２５、払出球検出器２６を組み込んだ構造である。払出モータ２３は、ステップモータにより構成される。払出モータ２３のモータ軸のような出力軸には、払出構造体２４が同軸状に結合される。払出構造体２４は、丸棒２７、螺旋体２８、軸部２９を備える。丸棒２７は、左右方向に延びる直線的な棒である。丸棒２７の一端部が払出モータ２３の出力軸に一緒に回転するように連結される。螺旋体２８は、丸棒２７の外周面に、丸棒２７の左右方向に延びる軸心と平行な方向に球を１個ずつ分離する間隔で、丸棒２７の外周面から径方向外側に螺旋形状に突出する。軸部２９は、丸棒２７から左側に突出するように、丸棒２７の左端面に設けられる。通路切替機構２５は、電磁ソレノイド３０および一対の弁体３１を備え、電磁ソレノイド３０への電力供給が停止されると、弁体３１が図外のばねのばね力で垂直上に立ち上がった姿勢となり、弁体３１の相対峙する間の隙間が球払出通路３２として構成され、電磁ソレノイド３０に電力が供給されると、弁体３１が図外のばねのばね力に抗し内側に倒れた姿勢となって球払出通路３２を塞ぎ、弁体３１より外側の隙間が球抜通路３３として構成される。機構躯体２２には、筐体取付部３４が、左右方向への貫通孔として設けられる。
【００１１】
タンク構造体２および払出機構２１が互いに次のように組み立てられることによって、球払出装置１が構成される。払出機構２１の払出構造体２４がタンク構造体２の右外側から上開口５を経由して払出収容部８に挿入され、軸部２９が軸受孔１０に嵌め込まれ、払出球検出器２６が下開口６を経由して払出収容部８よりも下部に配置され、機構躯体２２がタンク構造体２の右側面に重ね合わされ、タッピングスクリューのような止ねじ３５が機構躯体２２の外側から筐体取付部３４を経由して機構取付部４に締結される。これによって、払出構造体２４が払出収容部８に配置され、払出機構２１およびタンク構造体２が互いに一体となるように組み立てられ、球払出装置１が構成される。
【００１２】
図１を参照し、払出構造体２４が払出収容部８に配置された場合の構造について説明する。図１のａ図において、払出収容部８と払出構造体２４の丸棒２７の外周面との間には、球貯蔵部３から球を取り込むための球取込隙間３６；３７が、払出構造体２４を境とし、前後に設けられる。球誘導突起１１；１２は、螺旋体２８による球を１個ずつ分離する機能を阻害するためのものであって、球取込隙間３６；３７の螺旋体２８による球の矢印Ｘ１で示す搬送方向の下流側に設けられることなく、球取込隙間３６；３７の螺旋体２８による球の矢印Ｘ１で示す搬送方向の上流側において払出構造体２４の回転方向の前後方向の両側に位置しかつ払出構造体２４の上部を開放して設けられ、払出構造体２４より前後に離れて配置される。球誘導突起１１は、払出構造体２４の軸部２９に位置する螺旋体２８の球を取り込むための１つの溝を球の取り込むことの不可能なように塞ぐように配置される。球誘導突起１２は、払出構造体２４の軸部２９に位置する螺旋体２８の球を取り込むための螺旋体２８の軸心方向に隣接する２つの溝を球の取り込むことの不可能なように塞ぐように配置される。螺旋体２８の軸心方向の長さは長くなるものの、球誘導突起１１で塞がれる螺旋体２８の溝の数は複数でもよく、球誘導突起１２で塞がれる螺旋体２８の溝の数は多数でもよい。しかしながら、最良の形態のように、球誘導突起１１で塞がれる螺旋体２８の溝の数は、球誘導突起１２で塞がれる螺旋体２８の溝の数よりも１つ少ない方が、螺旋体２８の軸心方向の長さが短くできるので好適である。
【００１３】
球誘導突起１２における払出収容部８の左壁から右側に延びる長さは、球誘導突起１１における払出収容部８の左壁から右側に延びる長さよりも長い。球誘導突起１２が球誘導突起１１よりも長いのは、払出構造体２４が球を払い出す場合に図１のｂ図に示す矢印Ｗ１の方向に回転する場合である。払出構造体２４が球を払い出す場合に矢印Ｗ１の逆方向に回転する場合は、球誘導突起１１が球誘導突起１２より長くなるように設けられる。つまり、球誘導突起１１；１２の一方が他方よりも長い事項は、払出構造体２４が球を払い出すために回転する方向の食い込み側に設けられる方が、払出構造体２４が球を払い出すために回転する方向の持ち上げ側に設けられる方よりも長く設定される。これによって、払出収容部８の左右方向の長さができるだけ小さく形成でき、球貯蔵部３の球から払出構造体２４に加わる負担を軽減することができる。
【００１４】
図１のｂ図において、球誘導突起１１における払出収容部８の底部からの高さＨ１は、球誘導突起１２における払出収容部８の底部からの高さＨ２よりも低い（Ｈ１＜Ｈ２）。Ｈ１＜Ｈ２の寸法は、払出構造体２４が球を払い出す場合に矢印Ｗ１の方向に回転する場合である。払出構造体２４が球を払い出す場合に矢印Ｗ１の逆方向に回転する場合は、Ｈ１がＨ２より高い（Ｈ１＞Ｈ２）ように設定される。つまり、球誘導突起１１；１２の一方が他方よりも高い事項は、払出構造体２４が球を払い出すために回転する方向の食い込み側に設けられる方が、払出構造体２４が球を払い出すために回転する方向の持ち上げ側に設けられる方よりも高く設定される。球誘導突起１１と丸棒２７との間には、球の進入を禁止する空隙Ｈ３が設けられる。球誘導突起１２と丸棒２７との間には、球の進入を禁止する空隙Ｈ４が設けられる。空隙Ｈ３；Ｈ４は、１個の球の直径よりも小さい。
【００１５】
また、球誘導突起１１の上面３８および球誘導突起１２の上面３９は、螺旋体２８の回転の中心となる軸心よりも上方に位置し、螺旋体２８の最上部よりも下方に位置する。これによって、図１のｃ図に示すように、払出構造体２４が払い出すために回転した場合に、球貯蔵部３に収容された球Ｐが球誘導突起１１；１２で受け止められ、球圧による払出構造体２４の負担を軽減し、球詰まりの発生を、一層好適に解消することができるという利点がある。図１のｃ図において、球誘導突起１１；１２の間から上部に突出した螺旋体２８が、払出構造体２４の矢印Ｗ１で示す方向への回転に伴い、球貯蔵部３の球Ｐをならすので、払出構造体２４による球ならし機能を確保することができるという利点がある。
【００１６】
図２および図３を参照し、球誘導突起１１；１２の作用について説明する。図２において、球誘導突起１１の上面３８は、球取込隙間３６の螺旋体２８による球の矢印Ｘ１で示す搬送方向の上流側から下流側の方向に行くにしたがって下り勾配となる斜面に形成される。これによって、球貯蔵部３の球Ｐが、球貯蔵部３に取り残されることなく、球取込隙間３６の下流側に確実に供給することができるという利点がある。図３において、球誘導突起１２の上面３９は、球取込隙間３７の螺旋体２８による球の矢印Ｘ１で示す搬送方向の上流側から下流側の方向に行くにしたがって下り勾配となる斜面に形成される。これによって、球貯蔵部３の球Ｐが、球貯蔵部３に取り残されることなく、球取込隙間３７の下流側に確実に供給することができるという利点がある。
【００１７】
図６を参照し、球払出装置１を備えたパチンコ遊技機について説明する。パチンコ遊技機の遊技機枠４１は、固定枠４２の前側に可動枠４３を開閉可能に備える。固定枠４２は、遊技機設置構造体に取り付けられる外枠とも呼ばれる。遊技機設置構造体は、遊技店のパチンコ遊技機を設置する島とも呼ばれる設備である。可動枠４３は、遊技盤や制御装置など遊技に必要な部品を取り付ける前枠とも呼ばれる。可動枠４３は、左側に位置するヒンジ４４を中心とし、固定枠４２の前側で前側に開かれかつ後側に閉じられるように、片開き可能である。可動枠４３には、開口部４５が、前後方向の貫通孔として設けられる。開口部４５は、遊技盤の裏面に取り付けられた球案内構造体や制御装置などの裏側部品を可動枠４３の前側から裏側に貫通させるか、または、遊技盤の前面に取り付けられたガイドレールや入賞部品などの前側部品を可動枠４３の裏側から前側に貫通させるためのものである。
【００１８】
球払出装置１では、タンク構造体２が、開口部４５の上部に位置するように、可動枠４３の裏面に、ねじのような固着具で、可動枠４３の裏側から取り付けられる。タンク構造体２が可動枠４３の裏面に取り付けられる場合、図５の基板収容部１５の前壁が、図６の可動枠４３の裏面の側に配置される。払出機構２１の下部には、球払出樋４６および抜球樋４７を備える。球払出樋４６の下部には、中継樋４８が配置される。球払出樋４６、抜球樋４７、中継樋４８は、可動枠４３の裏面に取り付けられる。よって、払出機構２１の図５に示す球払出通路３２から排出される球は、球払出樋４６および中継樋４８を経由して図外の皿構造体の受皿部に排出される。皿構造体は、可動枠４３の前面に取り付けられる。皿構造体の受皿部は、遊技者が遊技に使用する球を入れる部分である。そして、球が受皿部に存在する状態において、遊技者が皿構造体の前面に設けられた発射操作機構を操作すると、皿構造体の裏側に位置するように、可動枠４３の前面に取り付けられた発射機構が受皿部から供給された球を１個ずつ遊技盤のガイドレールで囲まれた内側の遊技領域に向けて発射する。払出機構２１の図５に示す球抜通路３３から排出された球は、可動枠４３の裏側から遊技機設置構造体の回収機構に排出される。回収機構に排出された球は、遊技機設置構造体の補給機構に戻される。
【産業上の利用可能性】
【００１９】
図７は、異なる形態に係る払出収容部８の構造を示す。図７のａ図およびｂ図において、球誘導突起１１が払出収容部８の前壁５１から払出収容部８の内部に突出し、球誘導突起１２が払出収容部８の後壁５２から払出収容部８の内部に突出する。つまり、図１のａ図およびｂ図では、球誘導突起１１が払出収容部８の前壁５１との間に隙間を設け、球誘導突起１２が払出収容部８の後壁５２との間に隙間を設けているのに対し、図７のａ図およびｂ図では、球誘導突起１１が払出収容部８の前壁５１との間に隙間を設けておらず、球誘導突起１２が払出収容部８の後壁５２との間に隙間を設けていない点が異なる。図７のａ図において、仮想線Ｌ１は、球誘導突起１１と払出収容部８との境界を明示するために描いた仮想線である。仮想線Ｌ２は、球誘導突起１２と払出収容部８との境界を明示するために描いた仮想線である。
【図面の簡単な説明】
【００２０】
【図１】ａ図は払出収容部の平面図、ｂ図はａ図のＢ−Ｂ線断面図、ｃ図は作用を説明するｂ図に相当する断面図（最良の形態）。
【図２】図１のａ図のＣ−Ｃ線断面図（最良の形態）。
【図３】図１のａ図のＤ−Ｄ線断面図（最良の形態）。
【図４】払出収容部の内部を示す斜視図（最良の形態）。
【図５】球払出装置の分解斜視図（最良の形態）。
【図６】パチンコ遊技機の裏面図（最良の形態）。
【図７】ａ図は払出収容部の平面図、ｂ図はａ図のＥ−Ｅ線断面図（異なる形態）。
【符号の説明】
【００２１】
１    球払出装置
３    球貯蔵部
７    供給口
８    払出収容部
１１  球誘導突起
１２  球誘導突起
２４  払出構造体
２７  丸棒
２８  螺旋体
３６  球取込隙間
３７  球取込隙間
３８  上面
３９  上面
【図１】
2007236785.tif 000003
【図２】
2007236785.tif 000004
【図３】
2007236785.tif 000005
【図４】
2007236785.tif 000006
【図５】
2007236785.tif 000007
【図６】
2007236785.tif 000008
【図７】
2007236785.tif 000009